(57)【要約】【課題】作業性が良好で、作業時間を短縮可能な通し装柱用バンドを提供する。【解決手段】第１ボルト１３および第１ナット１４が第１バンド部分１１の端部と前記第２バンド部分１２の端部とを重ねた状態で結合する。第２ボルト１５および第２ナット１６が第１バンド部分１１および第２バンド部分１２を電柱に巻き付けて締め付け可能である。第１ボルト１３と前記第２ボルト１５とは第１バンド部分１１および第２バンド部分１２を電柱に巻き付けたとき同じ方向に伸びるよう配置可能である。ワイヤを把持する吊架部材が第１ボルト１３に吊り下げられ、第１ナット１４で固定される。【選択図】図１
0003199383.tif 000002
【実用新案登録請求の範囲】
【請求項１】
ワイヤを電柱で支持するための通し装柱用バンドであって、
第１バンド部分と第２バンド部分と、
前記第１バンド部分の端部と前記第２バンド部分の端部とを重ねた状態で結合する第１ボルトおよび第１ナットと、
前記第１バンド部分および前記第２バンド部分を電柱に巻き付けて締め付け可能な第２ボルトおよび第２ナットとを有し、
前記第１ボルトと前記第２ボルトとは前記第１バンド部分および前記第２バンド部分を電柱に巻き付けたとき同じ方向に伸びるよう配置可能であることを、
特徴とする通し装柱用バンド。
【請求項２】
ワイヤを電柱で支持するための通し装柱用バンドであって、
電柱に巻き付け可能な第１バンド部分と第２バンド部分とを有し、
前記第１バンド部分は第１バンド材と第１取付部材とを有し、前記第１取付部材は前記第１バンド材の一端に設けられ、前記第１バンド材は他端側に取付孔を有し、
前記第２バンド部分は第２バンド材と第２取付部材とを有し、前記第２取付部材は前記第２バンド材の一端に設けられ、前記第２バンド材は他端側に取付孔を有し、
前記第１バンド材の前記他端側と前記第２バンド材の前記他端側とを重ねた状態で前記第１バンド材の前記取付孔と前記第２バンド材の前記取付孔とに挿入される第１ボルトと、前記第１ボルトを締め付けて前記第１バンド材と前記第２バンド材とを結合する第１ナットとを有し、
前記第１取付部材と前記第２取付部材とは互いに対向する挿入孔を有し、前記第１取付部材の前記挿入孔と前記第２取付部材の前記挿入孔とに挿入される第２ボルトと、前記第２ボルトを締め付けて前記第１取付部材と前記第２取付部材とを結合する第２ナットとを有し、
前記第１ボルトと前記第２ボルトとは、第１バンド部分と第２バンド部分とを電柱に巻き付けたとき同じ方向に伸びるよう配置可能であることを、
特徴とする通し装柱用バンド。
【請求項３】
前記第１バンド材の前記取付孔と前記第２バンド材の前記取付孔とは電柱の複数の径に対応可能にそれぞれ長さ方向に間隔を置いて複数設けられていることを、特徴とする請求項２記載の通し装柱用バンド。
【請求項４】
前記第１バンド部分は前記第２バンド部分の２倍以上４倍以下の長さを有することを、特徴とする請求項３記載の通し装柱用バンド。
【請求項５】
ワイヤを把持する吊架部材が前記第１ボルトに吊り下げられ、前記第１ナットで固定されていることを、特徴とする請求項１，２，３または４記載の通し装柱用バンド。
【考案の詳細な説明】
【技術分野】
【０００１】
本考案は、吊線などのワイヤを電柱で支持するための通し装柱用バンドに関する。
【背景技術】
【０００２】
従来、架空電線を電柱で支持するための自在バンドとして、円周を４つに分割した略円弧状の４つのバンド材を、電柱の円周方向に配置し、隣接するバンド材をボルト等の接続部材で接続するとともに、その接続部材で支持線を支持するものが開示されている（例えば、特許文献１参照）。
【先行技術文献】
【特許文献】
【０００３】
【特許文献１】特開２００７−１１０８１０号公報
【考案の概要】
【考案が解決しようとする課題】
【０００４】
しかしながら、特許文献１に記載の４つのバンド材を使用する方法では、見かけ上は自在バンドは１つであるが、４つのバンド材を取り付ける必要があることから、取付作業が繁雑になり、作業時間が長くかかるという課題があった。特に、ボルトの締付けを４方向から行う必要があるため、作業性が悪く、作業に長時間を要していた。
【０００５】
本考案は、このような課題に着目してなされたもので、作業性が良好で、作業時間を短縮可能な通し装柱用バンドを提供することを目的とする。
【課題を解決するための手段】
【０００６】
上記目的を達成するために、本考案に係る通し装柱用バンドは、ワイヤを電柱で支持するための通し装柱用バンドであって、第１バンド部分と第２バンド部分と、前記第１バンド部分の端部と前記第２バンド部分の端部とを重ねた状態で結合する第１ボルトおよび第１ナットと、前記第１バンド部分および前記第２バンド部分を電柱に巻き付けて締め付け可能な第２ボルトおよび第２ナットとを有し、前記第１ボルトと前記第２ボルトとは前記第１バンド部分および前記第２バンド部分を電柱に巻き付けたとき同じ方向に伸びるよう配置可能であることを、特徴とする。
【０００７】
本考案に係る通し装柱用バンドは、第１バンド部分の端部と第２バンド部分の端部とを重ねた状態で結合する第１ボルトと、第１バンド部分および第２バンド部分を電柱に巻き付けて締め付け可能な第２ボルトとが第１バンド部分および第２バンド部分を電柱に巻き付けたとき同じ方向に伸びるよう配置可能なため、第１ボルトの締付けと第２ボルトの締付けを同一方向から行うことができ、作業性が良好で、作業時間を短縮することができる。
【０００８】
本考案に係る通し装柱用バンドは、ワイヤを電柱で支持するための通し装柱用バンドであって、第１バンド部分と第２バンド部分とを有し、前記第１バンド部分は第１バンド材と第１取付部材とを有し、前記第１取付部材は前記第１バンド材の一端に設けられ、前記第１バンド材は他端側に取付孔を有し、前記第２バンド部分は第２バンド材と第２取付部材とを有し、前記第２取付部材は前記第２バンド材の一端に設けられ、前記第２バンド材は他端側に取付孔を有し、前記第１バンド材の前記他端側と前記第２バンド材の前記他端側とを重ねた状態で前記第１バンド材の前記取付孔と前記第２バンド材の前記取付孔とに挿入される第１ボルトと、前記第１ボルトを締め付けて前記第１バンド材と前記第２バンド材とを結合する第１ナットとを有し、前記第１取付部材と前記第２取付部材とは互いに対向する挿入孔を有し、前記第１取付部材の前記挿入孔と前記第２取付部材の前記挿入孔とに挿入される第２ボルトと、前記第２ボルトを締め付けて前記第１取付部材と前記第２取付部材とを結合する第２ナットとを有し、前記第１ボルトと前記第２ボルトとは、第１バンド部分と第２バンド部分とを電柱に巻き付けたとき同じ方向に伸びるよう配置可能であることが好ましい。
【０００９】
本考案に係る通し装柱用バンドにおいて、前記第１バンド材の前記取付孔と前記第２バンド材の前記取付孔とは電柱の複数の径に対応可能にそれぞれ長さ方向に間隔を置いて複数設けられていることが好ましい。
本考案に係る通し装柱用バンドにおいて、前記第１バンド部分は前記第２バンド部分の２倍以上４倍以下の長さを有することが好ましい。
本考案に係る通し装柱用バンドにおいて、ワイヤを把持する吊架部材が前記第１ボルトに吊り下げられ、前記第１ナットで固定されていることが好ましい。
【考案の効果】
【００１０】
本考案によれば、作業性が良好で、作業時間を短縮可能な通し装柱用バンドを提供することができる。
【図面の簡単な説明】
【００１１】
【図１】本考案の実施の形態の通し装柱用バンドを示す（ａ）平面図、（ｂ）側面図である。
【図２】図１に示す通し装柱用バンドの使用状態を示す側面図である。
【考案を実施するための形態】
【００１２】
以下、図面に基づき本考案の実施の形態について説明する。
図１および図２は、本考案の実施の形態の通し装柱用バンドを示している。
図２に示すように、通し装柱用バンド１０は、吊架部材３０と組み合わせて通信線または電線１を電柱２で支持するために用いられる。
【００１３】
図１に示すように、通し装柱用バンド１０は、電柱２に巻き付け可能な第１バンド部分１１と第２バンド部分１２と第１ボルト１３と第１ナット１４と第２ボルト１５と第２ナット１６とを有する。
【００１４】
第１バンド部分１１は、第１バンド材１１ａと第１取付部材１１ｂとを有する。第１バンド材１１ａは、薄くて細長い金属板から成る。第１取付部材１１ｂは、断面Ｌ字状の金属材から成り、第１バンド材１１ａの一端にボルト１７ａおよびナット１７ｂで固定されている。第１バンド材１１ａは、他端側に取付孔１８を有する。取付孔１８は、電柱２の複数の径に対応可能に長さ方向に間隔を置いて複数設けられている。
【００１５】
第２バンド部分１２は、第２バンド材１２ａと第２取付部材１２ｂとを有する。第２バンド材１２ａは、薄くて細長い金属板から成るが、第１バンド材１１ａより短い。第２取付部材１２ｂは、第１取付部材１１ｂと同一形状の断面Ｌ字状の金属材から成り、第２バンド材１２ａの一端にボルト１９ａおよびナット１９ｂで固定されている。第２バンド材１２ａは、他端側に取付孔２０を有する。取付孔２０は、電柱２の複数の径に対応可能に長さ方向に間隔を置いて複数設けられている。第１取付部材１１ｂと第２取付部材１２ｂとは、互いに対向する挿入孔を有している。第１バンド部分１１は、第２バンド部分１２の２倍以上４倍以下で、ほぼ３倍の長さを有している。
【００１６】
第１ボルト１３は、第１バンド材１１ａの他端側と第２バンド材１２ａの他端側とを重ねた状態で第１バンド材１１ａの取付孔１８と第２バンド材１２ａの取付孔２０とに挿入される。第１ナット１４は、第１ボルト１３を締め付けて第１バンド材１１ａと第２バンド材１２ａとを結合する。
第２ボルト１５は、第１取付部材１１ｂの挿入孔と第２取付部材１２ｂの挿入孔とに挿入される。第２ナット１６は、第２ボルト１５を締め付けて第１取付部材１１ｂと第２取付部材１２ｂとを結合する。
【００１７】
第１ボルト１３と第２ボルト１５とは、第１ボルト１３が挿入される取付孔１８，２０を選択することにより、第１バンド部分１１と第２バンド部分１２とを電柱２に巻き付けたとき同じ方向に伸びるよう配置可能である。
【００１８】
図２に示すように、吊架部材３０は、通信線または電線１を支持するためのワイヤから成る吊線３を把持する構成を有している。吊架部材３０は、第１ボルト１３に吊り下げられ、第１ナット１４で固定されている。
【００１９】
次に、作用について説明する。
図２に示すように、通し装柱用バンド１０は、電柱２に巻き付けて使用される。吊架部材３０は、通信線または電線１を２箇所で支持する吊線３を把持する。
【００２０】
図１（ａ）に示すように、通し装柱用バンド１０は、第１バンド部分１１の端部と第２バンド部分１２の端部とを重ねた状態で結合する第１ボルト１３と、第１バンド部分１１および第２バンド部分１２を電柱２に巻き付けて締め付け可能な第２ボルト１５とが、第１バンド部分１１および第２バンド部分１２を電柱２に巻き付けたとき同じ方向に伸びるよう配置可能なため、第１ボルト１３の第１ナット１４による締付けと第２ボルト１５の第２ナット１６による締付けを同一方向から行うことができ、作業性が良好で、作業時間を短縮することができる。
【００２１】
第１バンド部分１１の第１バンド材１１ａと第２バンド部分１２の第２バンド材１２ａとは、一般的なバンド材より幅を約２５％、厚さを約３５％削減してもよい。それにより、電柱２の外面に沿いやすくなり、取り扱いやすくなる。通し装柱用バンド１０は、第１バンド材１１ａの他端側と第２バンド材１２ａの他端側とが１本の第１ボルト１３および１個の第１ナット１４で締め付けて結合されるため、２本のボルトと２個のナットで結合される場合に比べて、組立てが容易であり、ボルトの経費を低減することができる。
【符号の説明】
【００２２】
１  通信線または電線
２  電柱
３  吊線
１０  通し装柱用バンド
１１  第１バンド部分
１１ａ  第１バンド材
１１ｂ  第１取付部材
１２  第２バンド部分
１２ａ  第２バンド材
１２ｂ  第２取付部材
１３  第１ボルト
１４  第１ナット
１５  第２ボルト
１６  第２ナット
１８  取付孔
２０  取付孔
３０  吊架部材
【図１】
0003199383.tif 000003
【図２】
0003199383.tif 000004